(57)【要約】【課題】電話帳に登録した個人情報に該当する内容を第三者が容易に閲覧できることなく、電話帳の検索時や着信時においても、ユーザ本人が判別可能なハンドルネームで表示することで利便性を損なわない携帯通信端末を提供する。【解決手段】登録したユーザにより通信相手の識別が可能なハンドルネームを含む通信相手の情報を電話帳の登録情報として記憶する記憶部５と、ハンドルネーム表示モードが選択されると、電話帳の登録情報のうち、ハンドルネームを含む所定の情報を記憶部５から読み出してディスプレイ４に表示する制御部６とを備える。【選択図】図１
2007202080.tif 000002
【特許請求の範囲】
【請求項１】
通信相手の情報として、登録したユーザにより前記通信相手の識別が可能なハンドルネームを含む情報を記憶する記憶部と、
前記通信相手の情報のうち、前記ハンドルネームを含む所定の情報のみを提示するハンドルネームモードが設定されると、前記ハンドルネームを含む所定の情報を前記記憶部から読み出して提示する制御部とを備えた携帯通信端末。
【請求項２】
制御部は、ハンドルネームモードが設定されている場合、着信があると、着信相手に対応するハンドルネームを含む所定の情報のみを提示することを特徴とする請求項１記載の携帯通信端末。
【請求項３】
制御部は、ハンドルネームモードが設定されている場合、暗証番号による認証結果に応じて、記憶部に記憶された通信相手の情報の変更又は閲覧を許可することを特徴とする請求項１又は請求項２記載の携帯通信端末。
【請求項４】
記憶部に登録された通信相手の情報を用いて、ハンドルネームを自動的に生成するハンドルネーム自動生成部を備えたことを特徴とする請求項１から請求項３のうちのいずれか１項記載の携帯通信端末。
【発明の詳細な説明】
【技術分野】
【０００１】
この発明は、電話機能を有した携帯通信端末に関するものである。
【背景技術】
【０００２】
従来の携帯電話機が有する電話帳機能では、１件の登録に対し、氏名、電話番号、メールアドレス、住所、写真、会社名、生年月日、写真等を登録することができ、電話帳を閲覧することにより登録した情報（個人情報）を確認することが可能である。従って、携帯電話機を紛失等した場合、第三者に電話帳に登録された情報（個人情報）を閲覧される可能性がある。
【０００３】
このような不具合の対応策として、様々な技術が提案されている。例えば、携帯電話機のシークレット機能がその一つである。このシークレット機能では、電話帳をシークレットモードに設定すると、その内容が電話帳検索時や着信時においても表示されない。このため、電話帳の登録情報を第三者に知られることがない。
【０００４】
しかしながら、シークレット機能に設定した電話帳の登録内容の詳細は、ユーザが設定した暗証番号を入力しないと確認できず、着信時には相手側の電話機の電話番号等の情報しか表示されない。このため、電話番号とこれに対応する電話機を使用するユーザとを対応付けて記憶していないと誰からかかってきた電話であるのかを判別することが困難であった。
【０００５】
この不具合を解決しようとする技術として、例えば特許文献１に開示されるメモリダイヤル機能を有する通信端末を用いた、メモリダイヤルにおけるシークレット情報の登録・表示方法がある。このシークレット情報の登録・表示方法では、メモリダイヤルを構成する所定のメモリに、通信相手先の電話番号、Ｅメールアドレス、名前と共に、登録者のみが知っている前記名前の代替名前を通信相手先情報として登録する。これにより、登録者によるプライバシー保護希望の度合に応じて、通信相手先情報における名前又は代替名前のいずれかを表示させる選択指定を行う。
【０００６】
【特許文献１】特開２００５−２０２０４号公報
【発明の開示】
【発明が解決しようとする課題】
【０００７】
従来の携帯電話機等の携帯通信端末は、紛失等すると、第三者に電話帳に登録した情報を閲覧される可能性があり、個人情報が漏洩する可能性がある。また、シークレット機能等の技術が提案されているが、シークレットモード設定時は、暗証番号を入力しないと電話帳に登録した内容の確認ができず、着信時には相手側の電話番号等の情報しか表示されない。このため、誰からかかってきた電話であるのかを判別することできず利便性に欠けるという課題があった。
【０００８】
さらに、特許文献１の記載の技術では、代替名前を登録するため、代替名前に対応するメモリダイヤルの内容を特定するのは困難である。しかしながら、代替名前と登録情報との対応関係は特定できなくても、名前以外の他の登録された個人情報は全て閲覧することができる。このため、第三者にその内容を閲覧されたときに、個人情報の漏洩として問題となる可能性がある。
【０００９】
また、上述した秘密保持を強化するために、指紋認証デバイス等の外部デバイスを携帯電話機に実装し、デバイスに入力した指紋が登録したものと一致したときのみ携帯電話機を使用（例えば、電話帳の閲覧）できるようにすることも考えられる。しかしながら、このような専用の高価な外部デバイスを携帯電話機に実装することは、製造上、経済上不利である。
【００１０】
この発明は、上記のような課題を解決するためになされたもので、電話帳に登録した個人情報に該当する内容を第三者が容易に閲覧できることなく、電話帳の検索時や着信時においても、ユーザ本人が判別可能なハンドルネームで表示することで利便性を損なわない携帯通信端末を得ることを目的とする。
【課題を解決するための手段】
【００１１】
この発明に係る携帯通信端末は、通信相手の情報として、登録したユーザにより通信相手の識別が可能なハンドルネームを含む情報を記憶する記憶部と、通信相手の情報のうち、ハンドルネームを含む所定の情報のみを提示するハンドルネームモードが設定されると、ハンドルネームを含む所定の情報を記憶部から読み出して提示する制御部とを備えるものである。
【発明の効果】
【００１２】
この発明によれば、通信相手の情報として、登録したユーザにより通信相手の識別が可能なハンドルネームを含む情報を記憶する記憶部と、通信相手の情報のうち、ハンドルネームを含む所定の情報のみを提示するハンドルネームモードが設定されると、ハンドルネームを含む所定の情報を記憶部から読み出して提示する制御部とを備えるので、ハンドルネームとしてユーザが容易に通信相手を判別できる名前を登録することにより、通信相手の情報をまとめた電話帳検索や着信時において誰からの着信であるか判別等が容易に行え、通常使用時において利便性を失うことがない。
【発明を実施するための最良の形態】
【００１３】
実施の形態１．
図１は、この発明の実施の形態１による携帯通信端末の構成を示すブロック図であり、本発明を携帯電話機に適用した場合を示している。この携帯電話機は、アンテナ１、無線部２、入力キー３、ディスプレイ４、記憶部５、制御部６を含んで構成される。アンテナ１や無線部２は、携帯電話機の電話機機能を実現するための基本構成である。ユーザは、入力キー３を介してダイヤル情報や内部状態等を制御部６に設定する。ディスプレイ４には、例えば記憶部５の電話帳記憶領域５ａに記憶された電話帳の内容や待受画像等を表示する。
【００１４】
記憶部５は、本携帯電話機に搭載されたメモリ等により具現化され、電話帳の登録内容や待受画像等を記憶する。記憶部５の電話帳記憶領域５ａには、電話帳に登録する情報が記憶される。制御部６を介して、電話帳記憶領域５ａに記憶した登録情報を適宜読み出してディスプレイ４に表示することで電話帳機能が実現される。制御部６は、本携帯電話機の各構成部の動作を制御すると共に、電話帳記憶領域５ａに記憶された情報を入力キー３の操作により、ディスプレイ４に表示する。
【００１５】
次に動作について説明する。
図２は、実施の形態１の携帯電話機による電話帳の新規登録処理の流れを示すフローチャートであり、この図に沿って最初に電話帳を新規に登録する動作を説明する。
先ず、本携帯電話機のユーザが、入力キー３を介して、ディスプレイ４に表示させたメニュー画面において電話帳の登録を選択する（ステップＳＴ１）。電話帳の登録が選択されると、制御部６は、登録項目を提示する設定入力画面をディスプレイ４に表示する。
【００１６】
ユーザは、設定入力画面の表示内容に応じて、入力キー３を用いて登録項目である名前や電話番号等の電話帳の情報を入力する。このとき、登録する名前については、氏名とハンドルネームの２通りを入力する（ステップＳＴ２）。入力キー３を用いて入力された情報は、制御部６により記憶部５に一時記憶される。なお、本発明におけるハンドルネームとは、ニックネーム等の代替名前であり、登録したユーザ自身は識別可能であるが、第三者からは個人を特定することができない名前をいう。
【００１７】
電話帳への登録情報が入力されると、制御部６は、電話帳を閲覧する際、全ての登録情報を表示する通常表示モード又は個人情報を表示せずハンドルネームを表示するハンドルネーム表示モードのいずれかを選択する設定入力を受け付ける。ユーザは、入力キー３を用いて、設定入力画面上のモード選択の項目で通常表示モード又はハンドルネーム表示モードのいずれかを選択する（ステップＳＴ３）。
【００１８】
次に、制御部６は、最終的な登録の可否をユーザに問い合わせる設定画面をディスプレイ４に表示させ、ユーザによる登録可否の入力情報に基づいて、記憶部５に一時記憶した電話帳の登録情報及び表示モードの選択情報を電話帳記憶領域５ａに記憶して電話帳の情報として確定するか否かを判定する（ステップＳＴ４）。このとき、登録否を選択すると、記憶部５に一時記憶された入力情報を電話帳記憶領域５ａに記憶することなく、ステップＳＴ１からの処理に戻る。また、登録許可であれば、制御部５は、入力された登録情報及び表示モードの選択情報を電話帳記憶領域５ａに記憶して電話帳情報として確定する（ステップＳＴ５）。これにより、登録作業が完了する。
【００１９】
制御部６は、図２に示すステップＳＴ２で入力させる登録項目毎に、ハンドルネーム表示モードで表示しない個人情報及びハンドルネーム表示モードで表示しても良い登録情報を区別している。これにより、制御部６は、入力キー３等を介して電話帳の閲覧（検索）が要求されると、記憶部５に記憶される表示モード情報を読み出し、ハンドルネーム表示モードが設定されていれば、名前、電話番号、住所等の個人情報の登録項目に設定された情報を除く、登録番号やハンドルネーム等を電話帳記憶領域５ａから読み出してディスプレイ４に表示させる。
【００２０】
例えば、電話帳の閲覧（検索時）において、電話帳の登録時に通常表示モードの設定を行った場合は、図３に示すように、電話帳に登録した全ての情報（個人情報）がディスプレイ４に表示される。また、ハンドルネーム表示モードの設定を行った場合は、図４に示すように、個人情報となる名前や電話番号等の登録項目について入力された情報を除く、登録番号やハンドルネームがディスプレイ４に表示される。
【００２１】
また、制御部６は、入力キー３等を介して発着信履歴表示が要求されると、記憶部５に記憶される表示モード情報を読み出し、ハンドルネーム表示モードが設定されていれば、名前、電話番号、住所等の個人情報の登録項目に設定された情報を除く、ハンドルネームと発着信の日付け（日時）に関する情報を記憶部５から読み出してディスプレイ４に表示させる。
【００２２】
例えば、発着信履歴表示において、電話帳の登録時に通常表示モードの設定を行った場合は、図５に示すように、氏名、電話番号、日付け等の電話帳に登録した一部の情報（個人情報を含む）がディスプレイ４に表示される。また、ハンドルネーム表示モードの設定を行った場合は、図６に示すように、ハンドルネームと日付け（個人情報ではない）がディスプレイ４に表示される。
【００２３】
さらに、制御部６は、アンテナ１及び無線部２を介して着信を確認すると、無線部２から入力された着信相手の電話番号等の情報で電話帳記憶領域５ａを検索する。ここで、着信相手の情報が電話帳に登録されている場合、制御部６は、電話帳がハンドルネーム表示モードに設定されていれば、当該電話番号に対応して登録されているハンドルネームを含む一定の情報（例えば、電話番号）を電話帳記憶領域５ａから読み出して、着信の際にディスプレイ４に表示させる。ハンドルネームは、ユーザ自身であれば識別可能であることから、着信時において誰からの着信であるかを容易に判別することができる。
【００２４】
図７は、実施の形態１の携帯通信端末による電話帳編集又は詳細な登録内容の確認処理の流れを示すフローチャートであり、この図に沿って電話帳編集又は詳細な登録内容の確認処理を説明する。
先ず、ユーザが、入力キー３を介して、ディスプレイ４に表示させたメニュー画面において電話帳の編集（若しくは登録内容の確認）を選択する（ステップＳＴ１ａ）。電話帳の編集やその登録内容の確認には、電話帳の全ての内容を見る必要があるため、暗証番号が正常に入力された場合においてのみ、電話帳の内容編集又は登録内容の確認を可能にする。そこで、制御部６は、電話帳の編集（若しくは登録内容の確認）が選択されると、暗証番号の入力画面をディスプレイ４に表示する。
【００２５】
この暗証番号の入力画面の表示内容に応じて、ユーザが、入力キー３を用いて暗証番号を入力する（ステップＳＴ２ａ）。制御部６は、暗証番号が入力されると、ユーザが予め設定した暗証番号を記憶部５から読み出して、入力された暗証番号と照合し、正常な暗証番号か否かを判定する（ステップＳＴ３ａ）。このとき、正常な暗証番号でないと判定されると、制御部６は、ステップＳＴ２ａの処理に戻って暗証番号の入力画面を再びディスプレイ４に表示させる。
【００２６】
一方、正常な暗証番号であれば、ステップＳＴ４ａに進み、制御部６は、電話帳記憶領域５ａに記憶された電話帳の全ての内容をディスプレイ４で閲覧可能とし、また編集情報の入力画面を表示させて入力キー３を用いた編集情報の入力待ち状態になる。これにより、ユーザは、電話帳の内容を確認したり、編集情報の入力画面に応じて電話帳の編集情報を入力する。
【００２７】
ステップＳＴ４ａにおいて、編集情報が入力されると、制御部６は、入力された情報で電話帳の情報を上書きするか否かを確認画面をディスプレイ４に表示させ、確認情報の入力を受け付ける状態になる。この確認画面に応じて、ユーザが上書き否を入力すると、制御部６は、ステップＳＴ４ａに戻って編集情報の入力画面を表示させ、新たな編集情報の入力待ち状態になる。一方、上書き可が入力されると、制御部６は、入力された情報で電話帳の情報を上書きして編集内容を記憶部５に記憶する（ステップＳＴ６ａ）。
【００２８】
以上のように、この実施の形態１によれば、登録したユーザにより通信相手の識別が可能なハンドルネームを含む通信相手の情報を電話帳の登録情報として記憶する記憶部５と、電話帳の閲覧時において、通常表示（全ての情報の表示する）モードとハンドルネーム表示モードのいずれかの選択を受け付け、ハンドルネーム表示モードが選択されると、電話帳の登録情報のうち、ハンドルネームを含む所定の情報を記憶部５から読み出してディスプレイ４に表示する制御部６とを備えたので、ハンドルネーム表示モードが選択された場合、第三者による操作で電話帳が閲覧されようとしても、個人情報が不正に閲覧されることがない。
【００２９】
また、上記実施の形態１によれば、制御部６が、暗証番号の照合が正常なときだけ、個人情報に該当する情報を閲覧を許可するように構成したので、電話帳情報に対する、第三者の不正な閲覧や改ざんを防止することができる。
【００３０】
さらに、上記実施の形態１によれば、電話帳がハンドルネーム表示モードに設定されている場合、着信時にハンドルネームをディスプレイ４に表示するので、着信時において誰からの着信であるかを容易に判別することができる。
【００３１】
実施の形態２．
上記実施の形態１は、ハンドルネームを登録する際、ハンドルネームをユーザ自身で考え、電話帳に入力するものを示したが、本実施の形態２では、電話帳に登録した情報等に基づいてハンドルネームを自動的に生成して登録する機能を有する。
【００３２】
図８は、この発明の実施の形態２による携帯通信端末の構成を示すブロック図であり、本発明を携帯電話機に適用した場合を示している。この携帯電話機は、上記実施の形態１による構成に加え、ハンドルネーム自動生成部７を備える。ハンドルネーム自動生成部７は、ユーザにより選択された電話帳の登録情報や変換仕様を用いて、ユーザ自身は登録した個人情報との関連が理解できるハンドルネームを自動的に生成する。なお、図８において、図１と同一又はこれに相当する構成要素には同一符号を付して重複する説明を省略する。
【００３３】
次に動作について説明する。
図９は、実施の形態２の携帯通信端末によるハンドルネーム生成処理の流れを示すフローチャートであり、この図に沿ってハンドルネームの自動生成を説明する。
先ず、ユーザが、入力キー３を介して、ディスプレイ４に表示させたメニュー画面においてハンドルネーム自動生成処理を選択する（ステップＳＴ１ｂ）。ハンドルネーム自動生成処理が選択されると、制御部６は、関連付け項目の選択画面をディスプレイ４に表示する。ここで、関連付け項目としては、電話帳に登録された氏名をハンドルネームに変換する変換仕様や、氏名の情報と組み合わせる他の登録情報がある。ハンドルネームに変換する変換仕様には、例えば「さん付け」や「母音抜き」がある。
【００３４】
ユーザは、関連付け項目の選択画面に応じて、入力キー３を用いて関連付け項目を選択する（ステップＳＴ２ｂ）。なお、関連付けを行う項目としては、主に電話帳に登録されている情報のうち、グループ名や住所等が利用される。制御部６は、入力された関連付け項目の選択情報をハンドルネーム自動生成部７に出力する。
【００３５】
ステップＳＴ３ｂにおいて、ハンドルネーム自動生成部７は、ユーザにより選択された関連付け項目の情報を用いて氏名をハンドルネームに変換し、変換結果のハンドルネームを制御部６に出力する。例えば、関連付け項目として氏名以外の他の登録情報が選択された場合、ハンドルネーム自動生成部７は、氏名の情報と組み合わせる情報として認識し、氏名の情報と当該登録情報とを組み合わせる変換を行う。また、関連付け項目として変換仕様が選択された場合、この変換仕様に基づいて氏名の情報を変換してハンドルネームを生成する。
【００３６】
制御部６では、変換結果のハンドルネームをディスプレイ４に表示させる。このとき、制御部６は、ディスプレイ４に表示したハンドルネームを電話帳に登録するか否かの入力待ち状態になる（ステップＳＴ４ｂ）。ここで、登録否が入力されると、ステップＳＴ２ｂからの処理に戻って、上述の処理を繰り返す。また、登録可が入力されると、制御部６は、電話帳の対応する情報に変換結果のハンドルネームを関連付けて登録し、編集内容を記憶部５に記憶する（ステップＳＴ５ｂ）。
【００３７】
図１０は、ハンドルネーム自動生成部により生成されたハンドルネームを含む電話帳の登録情報を示す図である。登録番号１の情報では、関連付け項目として「グループ名」が選択された場合を示している。グループ名とは、電話帳に登録した各人を識別するためのカテゴリ情報であり、ユーザが任意に設定することができる。登録番号１の情報では、「三菱」というグループ名が登録されており、ハンドルネーム自動生成部７は、氏名の名字か名前と組み合わせる情報として認識する。図１０の例では、氏名のうち名字とグループ名とを組み合わせて、ハンドルネームとなる変換値は「三菱−鈴木」となる。
【００３８】
また、登録番号２の情報では、関連付け項目として「住所」が選択された場合を示している。ハンドルネーム自動生成部７は、登録情報の住所に記載された情報を、氏名の名字か名前と組み合わせる情報として認識する。これにより、氏名のうち名字と住所の一部とを組み合わせて、ハンドルネームとなる変換値は「尼崎−木村」となる。
【００３９】
登録番号３の情報では、関連付け項目として「母音抜き」が選択された場合を示している。ハンドルネーム自動生成部７は、関連付け項目として変換仕様である「母音抜き」が選択された場合、この変換仕様に基づいて氏名の情報を変換してハンドルネームを生成する。図１０の例では、氏名の「西村玉枝」のうち名字「西村」のアルファベット表記から母音文字を省略する変換を施し、変換値である「nshmr」をハンドルネームとする。
【００４０】
登録番号４の情報では、関連付け項目として「さん付け」が選択された場合を示している。ハンドルネーム自動生成部７は、関連付け項目として変換仕様である「さん付け」が選択された場合、この変換仕様に基づいて氏名の情報を変換してハンドルネームを生成する。図１０の例では、氏名の「新庄剛」のうち名字「新庄」に「さん」を付加する変換を施し、変換値である「新庄さん」をハンドルネームとする。
【００４１】
以上のように、この実施の形態２によれば、ハンドルネームの登録において、ハンドルネームを考え、入力する手間が省け、容易にハンドルネームを登録することができる。
【００４２】
なお、上記実施の形態１、２では、本発明を携帯電話機に適用する例を示したが、電話機機能を有するＰＤＡ（Personal Digital Assistants）や携帯が可能なパーソナルコンピュータであってもよい。
【図面の簡単な説明】
【００４３】
【図１】この発明の実施の形態１による携帯通信端末の構成を示すブロック図である。
【図２】実施の形態１の携帯電話機による電話帳の新規登録処理の流れを示すフローチャートである。
【図３】通常表示モードにおける電話帳の登録情報の表示例を示す図である。
【図４】ハンドルネーム表示モードにおける電話帳の登録情報の表示例を示す図である。
【図５】通常表示モードにおける発着信履歴情報の表示例を示す図である。
【図６】ハンドルネーム表示モードにおける発着信履歴情報の表示例を示す図である。
【図７】実施の形態１の携帯通信端末による電話帳編集又は詳細な登録内容の確認処理の流れを示すフローチャートである。
【図８】この発明の実施の形態２による携帯通信端末の構成を示すブロック図である。
【図９】実施の形態２の携帯通信端末によるハンドルネーム生成処理の流れを示すフローチャートである。
【図１０】ハンドルネーム自動生成部により生成されたハンドルネームを含む電話帳の登録情報を示す図である。
【符号の説明】
【００４４】
１  アンテナ、２  無線部、３  入力キー、４  ディスプレイ、５  記憶部、５ａ  電話帳記憶領域、６  制御部、７  ハンドルネーム自動生成部。
【図１】
2007202080.tif 000003
【図２】
2007202080.tif 000004
【図３】
2007202080.tif 000005
【図４】
2007202080.tif 000006
【図５】
2007202080.tif 000007
【図６】
2007202080.tif 000008
【図７】
2007202080.tif 000009
【図８】
2007202080.tif 000010
【図９】
2007202080.tif 000011
【図１０】
2007202080.tif 000012